(57)【要約】【課題】生ごみの処理の省エネ化及び使用性の向上を図った生ごみ処理機を提供することを目的とする。【解決手段】生ごみを投入する処理槽１と、前記処理槽１内の生ごみを加熱する加熱手段２と、前記処理槽１内の生ごみの撹拌を行う撹拌手段３と、機器の運転動作を制御する制御手段（図示せず）と、使用者が機器の運転予約設定できる機能と、前記予約設定状況を表示する表示手段４とを備え、前記表示手段４は、使用者が予約設定してから機器が運転開始するまでの間の少なくとも所定時間は、機器が運転しているときよりも輝度が低下する構成としたもので、省エネ化が図れる。【選択図】図１
2005087951.tif 000002
【特許請求の範囲】
【請求項１】
生ごみを投入する処理槽と、機器の運転動作を制御する制御手段と、使用者が機器の運転予約設定できる機能と、前記予約設定状況を表示する表示手段とを備え、前記表示手段は、使用者が予約設定してから機器が運転開始するまでの間の少なくとも所定時間は、機器が運転しているときよりも輝度が低下する構成とした生ごみ処理機。
【請求項２】
使用者が予約設定してから機器が運転開始するまでの間の少なくとも所定時間は、表示手段の一部の表示を消灯する請求項１記載の生ごみ処理機。
【請求項３】
使用者が予約設定してから機器が運転開始するまでの間の少なくとも所定時間は、表示手段のすべての表示を消灯する請求項１記載の生ごみ処理機。
【請求項４】
使用者によって設定された運転開始時間および／または運転終了時間を記憶するための記憶手段を備え、次回の運転予約時には前記記憶手段に記憶されている時間を初期設定値として設定し、表示手段に表示する請求項１〜３のいずれか１項に記載の生ごみ処理機。
【請求項５】
使用者が予約設定してから機器が運転開始するまでの間は、運転開始および／または運転終了までの残時間を、表示手段に表示する請求項１〜４のいずれか１項に記載の生ごみ処理機。
【請求項６】
使用者が予約設定した時に、機器の異常を検出し、表示手段に表示する請求項１〜５のいずれか１項に記載の生ごみ処理機。
【請求項７】
使用者が予約設定した時に、機器が有する電気部品に電流を流すことで、機器の異常を検出する請求項６記載の生ごみ処理機。
【発明の詳細な説明】
【技術分野】
【０００１】
本発明は、食品などの生ごみを乾燥処理する生ごみ処理機に関するものである。
【背景技術】
【０００２】
従来の生ごみ処理機においては、運転予約という概念がなかった。しかし近年、深夜電力や時間帯別契約の普及により、その時間帯に電気機器を使用する場合が増加してきている（例えば、特許文献１参照のこと）。そのため、夜間の電気料金が昼間のそれに比べて低価格である家庭が増加しており、別途購入した市販のタイマースイッチを機器に接続して夜間割引料金電力の時間帯等に運転開始するように予約運転を行っているお客様も少なくない。
【特許文献１】特開２００２−４５８２１号公報
【発明の開示】
【発明が解決しようとする課題】
【０００３】
前記従来の構成においては、電気代の比較的安価な夜間に運転を行うためには、背景技術に記載したように別途タイマーを購入して機器に接続するか、使用者が夜間に生ごみ処理機を操作して運転を開始させる必要があった（一般的には割引料金になる時刻は夜１１時〜翌朝７時）。
【０００４】
更に、運転音が気になるため、就寝後に運転を開始させたいというお客様にとっては、別途タイマー購入していただく以外に方法がなく、不便な思いをさせてしまうという課題があった。
【０００５】
本発明は、前記従来の課題を解決するもので、生ごみの処理の省エネ化及び使用性の向上を図った生ごみ処理機を提供することを目的とする。
【課題を解決するための手段】
【０００６】
前記課題を解決するために本発明は、生ごみを投入する処理槽と、機器の運転動作を制御する制御手段と、使用者が機器の運転予約設定できる機能と、前記予約設定状況を表示する表示手段とを備え、前記表示手段は、使用者が予約設定してから機器が運転開始するまでの間の少なくとも所定時間は、機器が運転しているときよりも輝度が低下する構成としたもので、電気料金の安価な夜間運転が容易に可能になり、省エネ化が図れるとともに、予約中すなわち昼間の電気料金が安価でない時に極力消費電力量を減らすことで更なる省エネ化が図れる。
【発明の効果】
【０００７】
生ごみの処理の省エネ化及び使用性の向上を図った生ごみ処理機を提供できる。
【発明を実施するための最良の形態】
【０００８】
第１の発明は、生ごみを投入する処理槽と、機器の運転動作を制御する制御手段と、使用者が機器の運転予約設定できる機能と、前記予約設定状況を表示する表示手段とを備え、前記表示手段は、使用者が予約設定してから機器が運転開始するまでの間の少なくとも所定時間は、機器が運転しているときよりも輝度が低下する構成としたもので、電気料金の安価な夜間運転が容易に可能になり、省エネ化が図れるとともに、予約中すなわち昼間の電気料金が安価でない時に極力消費電力量を減らすことで更なる省エネ化が図れる。
【０００９】
第２の発明は、使用者が予約設定してから機器が運転開始するまでの間の少なくとも所定時間は、表示手段の一部の表示を消灯するもので、予約中に必要な情報以外全て消灯することで使用性を確保しつつ更なる省エネ化が図れる。
【００１０】
第３の発明は、使用者が予約設定してから機器が運転開始するまでの間の少なくとも所定時間は、表示手段のすべての表示を消灯するもので、最も省エネ化が図れるものである。
【００１１】
第４の発明は、使用者によって設定された運転開始時間および／または運転終了時間を記憶するための記憶手段を備え、次回の運転予約時には前記記憶手段に記憶されている時間を初期設定値として設定し、表示手段に表示するもので、毎回同じ時刻設定をするお客様にとっては、都度時刻設定を行う手間が省けるため、使用性が向上する。
【００１２】
第５の発明は、使用者が予約設定してから機器が運転開始するまでの間は、運転開始および／または運転終了までの残時間を、表示手段に表示するもので、お客様に運転開始までの残り時間を報知できるため使用性が向上する。
。
【００１３】
第６の発明は、使用者が予約設定した時に、機器の異常を検出し、表示手段に表示するもので、予約時に異常を報知してお客様の対応を促すことができるため使用性・保守性が向上する。
【００１４】
第７の発明は、使用者が予約設定した時に、機器が有する電気部品に電流を流すことで、機器の異常を検出するもので、予約時に異常を報知してお客様の対応を促すことができるため使用性・保守性が向上する。
【００１５】
以下、本発明の実施の形態について、図面を参照しながら説明する。尚、この実施の形態によって本発明が限定されるものではない。
【００１６】
（実施の形態１）
以下、本発明の実施の形態１について図１〜図６を参照しながら説明する。
【００１７】
図１は本発明の実施の形態における全体図であり、生ごみを投入する処理槽１と、前記処理槽１内の生ごみを加熱・乾燥するための加熱手段である乾燥ヒータ２と、前記乾燥ヒータ２の熱を前記処理槽１内の生ごみに送るための乾燥ファンモータ１０と、前記処理槽１内の生ごみを撹拌するための撹拌手段である撹拌羽３と、前記処理槽１に連通し前記処理槽１内の生ごみから発生する蒸気の脱臭を行う触媒６と、前記触媒６の脱臭能力を高めるための加熱を行う触媒加熱ヒータ７と、前記触媒６の下流側に配置され前記処理槽１内の蒸気を吸引し前記触媒６を経由して機器外に排気するための吸引ファンモータ９と、使用者が機器の操作を行い、表示手段でもある操作部４を有している。更に、前記乾燥ヒータ２の側近に配置され、前記処理槽１内の温度を検知するための庫内温度センサ５と、前記触媒６側近に配置され、前記触媒６の温度を検知する触媒温度センサ８と、前記処理槽１の下側に配置され、前記処理槽１内に生ごみが投入されたことを検知するための生ごみ投入検知ＳＷ１１を有している。
【００１８】
図２は操作部４の一例であり、これを参照しながら詳細について説明する。
【００１９】
操作部４は、使用者が機器の運転開始を行うための運転スイッチ１７と、運転中であることを知らせるための運転表示２４、運転を途中で停止させるための切スイッチ１８、予約時刻の設定を行うための時刻予約スイッチ１９、予約曜日の設定を行うための曜日予約スイッチ２０、予約時刻を表示する予約時刻表示３４、予約曜日を表示する予約曜日表示３５、予約中であることを知らせるための予約表示２５、現在の時刻・曜日を設定するための設定スイッチ２１、現在時刻を表示する時刻表示３２、曜日を表示する曜日表示３３、及び電池の残量を表示するための電池残量表示３１を有している。いわゆる予約設定状況を表示する機能を有している。
【００２０】
次に図３を参照しながら、本発明の一実施の形態におけるシステムブロック図の説明を行う。
【００２１】
商用電源１２からの電力供給経路に電源リレー１３が設けられており、前記電源リレー１３をオンすることによって、前記商用電源１２から第一の信号制御手段１５及び乾燥ヒータ２、触媒加熱ヒータ７、撹拌羽根モータ３、吸引ファンモータ９、乾燥ファンモータ１０に電源が供給される構成になっている。又、前記第一の信号制御手段１５には、庫内温度センサ５、触媒温度センサ８、及び各負荷の制御を行うための駆動手段１４、更に第二の信号制御手段１６が接続されている。尚、前記第一の信号制御手段１５と前記第二の信号制御手段１６は互いに通信を行っている。前記第二の信号制御手段１６へは前記商用電源１２と二次電池２６の両方から電源供給が行われる構成となっているが、前記電源リレー１３をオフした時に前記商用電源１２からの電力供給が停止するのと同様、前記二次電池２６から前記第二の信号制御手段１６への電力供給経路に設けられている電池電源リレー２９をオフした時には前記二次電池２６からの電源供給を停止させることができる。
【００２２】
又、前記二次電池２６には前記商用電源１２からの電力供給により充電を行うための充電回路２７及び前記二次電池２６の電圧を検出するための電圧検知手段２８が設けられている。前記第二の信号制御手段１６には運転スイッチ１７、切スイッチ１８、時刻予約スイッチ１９、曜日予約スイッチ２０、設定スイッチ２１、運転表示２４、予約表示２５、電池残量表示３１、時刻表示３２、曜日表示３３、予約時刻表示３４、予約曜日表示３５より構成される操作部４と、電源リレー１３、記憶手段２２、計時手段２３、生ごみ投入検知ＳＷ１１、前記充電回路２７、前記電圧検知手段２８、前記電源電池リレー２９が接続されており、前記第二の信号制御手段１６は前記計時手段２３を介して常時、時刻の計時を行っている。
【００２３】
次に上記構成による動作及び作用を図４〜図６を参照しながら説明する。
【００２４】
ステップ０では、常に第二の信号制御手段１６は計時手段２３を介して時刻の計時を行い、現在時刻を時刻表示３２に表示する。次に運転中でなければステップ１へ進み、運転中であればステップ１４へ進む。
【００２５】
次にステップ１では生ごみ投入検知ＳＷ１１が押されているかどうか、すなわち生ごみが処理槽１に投入されたかどうか（処理槽１内に生ごみが投入されると、生ごみの重さにより前記処理槽１が沈み込み、前記処理槽１の下側に配置された生ごみ投入検知ＳＷ１１がオンされる）の判断を行い、生ごみが投入されていれば例えばステップ２で生ごみが投入されてから１０時間経過する毎に１０分間のみ電源リレー１３をオンして第一の信号制御手段１５に商用電源１２からの電源供給を行うと共に前記第二の信号制御手段１６から前記第一の信号制御手段１５に「表面乾燥命令」を発信する。一方、前記第一の信号制御手段１５は「表面乾燥命令」を受信した場合、乾燥ヒータ２及び乾燥ファンモータ１０を駆動する。すなわち、生ごみ投入後は１０時間毎に乾燥ヒータ２及び乾燥ファンモータ１０が１０分間駆動することになる。
【００２６】
ステップ３では電圧検知手段２８により二次電池２６の残量チェックを行う。ステップ３で電池電圧が２０Ｖ以上の時は前記二次電池２６を前記第二の信号制御手段１６の電源として使用するが、２０Ｖ未満の時には電池電源リレー２９をオフすると共に前記電源リレー１３と充電回路２７をオンして前記第二の信号制御手段１６の電源として前記商用電源１２を用いると共に前記二次電池２６の充電を行う。尚、ステップ３でチェックした電池残量は、常に電池残量表示３１に表示されている。
【００２７】
次にステップ４で予約中であるかどうかの判断を行う。予約中である場合、予約後１分以上経過しているかどうかを判定し、１分以内ならば予約時刻表示３４と予約曜日表示３５は点灯させるが、１分以上経過していれば前記予約時刻表示３４と予約曜日表示２５は消灯し、且つ予約表示２５への電流を少なくして暗くする。ステップ４で予約中でなかった場合はステップ５で予約受付中であるかどうかの判断を行う。予約受付中である場合、前記予約時刻表示３４・予約曜日表示３５・予約表示２５は点滅させるが、スイッチが押されない状態が５秒以上継続すれば予約受付終了となり、その時点の予約設定時刻・曜日を記憶手段２２に記憶して予約中となり、各表示も点滅から点灯にかわる。
【００２８】
次にステップ６で現在時刻が予約時刻に達したかどうかの判断を行う。予約時刻に達するかまたはステップ７で運転スイッチ１７が押された場合は前記予約表示２５・予約時刻表示３４・予約曜日表示３５を消灯して予約終了すると共に、運転表示２４を点灯。更に前記電源リレー１３をオンして第一の信号制御手段１５に商用電源１２からの電源供給を行うと共に前記第二の信号制御手段１６から前記第一の信号制御手段１５に「運転開始命令」を発信する。一方、前記第一の信号制御手段１５は「運転開始命令」を受信した場合、運転処理を開始する。運転処理詳細については後述する。
【００２９】
更に、運転中であればステップ１４で現在時刻のチェックを行い、現在時刻が夜間割引料金時間帯である２３：００〜翌７：００の間であれば無条件で前記充電回路２７をオンして前記二次電池２６の充電を行い、そうでない場合でも、電池電圧が２２Ｖ未満であれば同様に前記二次電池２６の充電を行う。
【００３０】
ステップ８及びステップ１１ではそれぞれ時刻予約スイッチ１９、曜日予約スイッチ２０が押されたかどうかの判断を行い、押されたスイッチに応じた処理を行っている。いずれかのスイッチが押された場合にはそれぞれステップ９またはステップ１２で予約中かどうかの判断を行い、すでに予約中であれば予約解除して予約受付状態となる。予約中でない場合はそれぞれステップ１０またはステップ１３で予約受付中かどうかの判断を行い、予約受付中でなければ記憶手段２２に記憶されている前回予約設定時刻・曜日を今回予約設定時刻・曜日として仮設定して各々、前記予約時刻表示３４・予約曜日表示３５に表示し、予約受付を開始する。予約受付中であった場合、押されたスイッチに応じて予約時刻または予約曜日を現在設定時刻・曜日から１づつ繰り上げていく。
【００３１】
ただし予約時刻は２３時５９分を最大とし、それを超えたら再び０時０分に戻るようにする。更に時刻予約スイッチ１９が長押しされた場合（ここでは１秒以上スイッチを押された場合）、は現在設定時刻を３０づつ繰り上げるようにしている。
【００３２】
ステップ１５では切スイッチ１８の判定を行っている。切スイッチ１８が押された場合、予約中であれば予約終了、運転中であれば運転終了。電源リレー１３もオフして直ちに待機状態に戻る。
【００３３】
尚、現在時刻の設定はステップ１６で行える様になっている。
【００３４】
以降、運転中の制御詳細について説明する。
【００３５】
前記第一の信号制御手段１５は電力が供給されると同時に駆動手段１４を介して触媒加熱ヒータ７に通電し、触媒６を加熱して運転準備を行う。更に前記第一の信号制御手段１５は、４分後（すなわち前記触媒６が十分に加熱されて脱臭能力が発揮される状態になった後）駆動手段１４を介して乾燥ヒータ２及び乾燥ファンモータ１０を駆動して生ごみの加熱乾燥処理を開始すると共に、撹拌羽根モータ３を駆動して生ごみの撹拌・粉砕を行い、更に吸引ファンモータ９を駆動して処理槽１内の蒸気の排気を行う。
【００３６】
前記第一の信号制御手段１５は前記触媒６の脱臭性能を維持するために触媒温度センサ８が約３６０℃になるように駆動手段１４を介して前記触媒加熱ヒータ７の制御を行い、一方、乾燥性能を維持するために庫内温度センサ５が約１２０℃になるように駆動手段１４を介して前記乾燥ヒータ２の制御を行う。
【００３７】
具体的には前記庫内温度センサ５が１２０℃未満の時には前記乾燥ヒータ２へはフル通電を行い、１２０℃以上の時には約１／２程度の通電状態とすることで温度を一定に保つようにしている。前記処理槽１内の生ごみが未乾燥である間は蒸気が大量に発生するため１／２程度の通電状態であれば前記処理槽１内の温度は低下し、１２０℃を下回るが、前記処理槽１内の生ごみが十分に乾燥すると蒸気の量が減少するため１／２程度の通電状態であっても処理槽１内の温度は下がらずに上昇し続けるようになる。
【００３８】
これを利用して前記第一の信号制御手段１５は、処理槽１内の温度が１３０℃を超えたときに乾燥終了と判断して処理槽１の冷却を行う。冷却中は前記乾燥ヒータ２への通電は停止し処理槽１内の温度が８０℃未満（人が触れてやけどの心配のない温度）になったときに前記第一の信号制御手段１５から前記第二の信号制御手段に運転終了の信号を送信する。前記第二の信号制御手段１６は運転終了の信号を受信すると前記電源リレー１３をオフして前記第一の信号制御手段１５及びシステムへの電力供給を停止させる。尚、運転中または運転予約中に切スイッチ１８が押された場合、前記第二の信号制御手段１６は直ちに前記電源リレー１３をオフして前記第一の信号制御手段１５及びシステムへの電力供給を停止させる。
【００３９】
上記制御により、電気料金の高い昼間は極力商用電源１２を使用しないようになっており省エネ化が図れる。また使用者が任意の運転開始時刻設定を行えると共に前回予約時刻を記憶手段２２に記憶して予約操作時に前回予約時刻を一番目に表示するので（毎日同じ時刻から運転を開始したい使用者にとっては）予約時刻再設定の手間が省け、容易に電気料金の安価な夜間運転が行えるものである。更にこれによれば、毎日発生する生ごみを生ごみ処理機内にため込んでいき、次回のごみ収集日または処理終了が必要とされる時刻に確実に処理が行うことができるようになり使用性が向上する。
【００４０】
以降、具体例として、「毎週火・金曜日がごみ収集日である地域の方」の火曜日から金曜日までの使用例をあげて説明する。
【００４１】
尚、「毎週火・水曜日に発生した生ごみを生ごみ処理機に貯めておき（処理槽をごみ箱代りに使い）、木曜日の夕食後、木曜日の生ごみを生ごみ処理機に投入し、深夜電力帯（２３：００）から生ごみ処理機の運転を開始する。金曜の朝、乾燥ごみを捨てた後、再び金・土・日と生ごみを処理槽に貯めておき、月曜の生ごみと一緒に（２３：００から）乾燥処理する。」という使い方をするものとする。
【００４２】
火曜日の夕食後（２０：００）、発生した生ごみを処理槽１に入れ、時刻予約スイッチ１９と曜日予約スイッチ２０を操作して運転開始時刻を木曜日の２３：００に設定する。この時点灯している表示は予約表示２５、時刻表示３２、曜日表示３３、予約時刻表示３４、予約曜日表示３５、電池残量表示３１であるが１分後、前記時刻表示３２、曜日表示３３、予約時刻表示３４、予約曜日表示３５、電池残量表示３１を消灯し、且つ予約表示２５への電流を少なくして暗くする。
【００４３】
１０時間後（水曜日６：００）に１０分間、乾燥ヒータ２及び乾燥ファンモータ１０を駆動することで前記処理槽１内の生ごみ表面が乾燥・酸化・炭化して、前記生ごみ表面に薄膜が形成され、仮に生ごみの深部が腐敗しても、その臭気が外部に漏れることがなくなり、悪臭の発生が抑制される。更に１０時間後（１６：００）再び１０分間の表面乾燥処理を行う。夕食後（２０：００）、水曜日の生ごみを前記処理槽１に追加投入。予約時刻・曜日は先日すでに「木曜２３：００」に設定済であるため、本日は予約操作は行う必要はない。尚、現在の予約設定時刻・曜日を確認したい場合は、前記時刻予約スイッチ１９または曜日予約スイッチ２０を１回押せば、時刻表示３２、曜日表示３３、予約時刻表示３４、予約曜日表示３５、電池残量表示３１、予約表示２５が点灯し、前記予約表示２５が再び明るくなる。（１分後再び時刻表示３２、曜日表示３３、予約時刻表示３４、予約曜日表示３５、電池残量表示３１を消灯し、且つ予約表示２５への電流を少なくして暗くする。）再び、生ごみ投入（２０：００）の１０時間後（木曜日６：００）及びその更に１０時間後（木曜日１６：００）に１０分間の表面乾燥処理を行う。木曜日の夕食後（２０：００）に木曜日の生ごみを前記処理槽１に追加投入。３時間後（２３：００）から自動的に運転開始する。金曜日朝、乾燥終了したごみをステーションに捨てに行く。
【００４４】
尚、上記実施の形態において、曜日予約スイッチ２０と予約曜日表示３５の代りに日付予約スイッチと予約日付表示を設けても本実施の形態とほぼ同様の効果が得られる。
【００４５】
尚、運転予約中に予約表示２５も消灯すれば、更なる省エネ化が可能となる。また、本実施の形態においては、使用者が予約設定を運転開始時刻と運転終了時刻の両方可能としているが、どちらか一方でもよい。
【００４６】
（実施の形態２）
次に、本発明の第２の実施の形態について図７〜図９を参照しながら説明する。
【００４７】
尚、上記第一の実施の形態と同一構成部品については同一符号を付し、説明を省略する。
【００４８】
商用電源１２からの電力供給経路には運転スイッチ１７及び前記運転スイッチ１７と並列に電源リレー１３が設けられており、前記運転スイッチ１７又は前記電源リレー１３をオンすることで乾燥ヒータ２、触媒加熱ヒータ７、撹拌羽根モータ３、吸引ファンモータ９、乾燥ファンモータ１０及び第一の信号制御手段１５に電源が供給される構成になっている。前記第一の信号制御手段１５には、乾燥ヒータ２及び触媒加熱ヒータ７に流れる電流値を検出するための電流検出手段３０、切スイッチ１８、時刻予約スイッチ１９、運転表示２４、予約表示２５、運転開始残時間表示３６、より構成される操作部４と、電源リレー１３、記憶手段２２、計時手段２３、庫内温度センサ５、触媒温度センサ８、各負荷の制御を行うための駆動手段１４が接続されている。
【００４９】
次にその動作詳細と作用を図８、図９を参照しながら説明する。
【００５０】
運転スイッチ１７を押すと商用電源１２から回路に電源が供給される。以降、ステップ０で常に前記第一の信号制御手段１５が電源リレー１３をオンすることにより、運転スイッチ１７を離した後でも電源供給が継続される。又ステップ０では電源がオンされてからの時間を計時し続けており、ステップ１で電源オンからの時間が１０時間経過する毎に１０分間のみ乾燥ヒータ２と乾燥ファンモータ１０をオンしている。
【００５１】
次にステップ２で予約中であるかどうかの判断を行い、予約中であれば運転開始残時間をカウントダウンしていき運転開始残時間表示３６に表示すると共に、ステップ３で予約開始から１分経過したかどうかの判定を行い、１分以上経過していれば前記運転開始残時間表示３６への通電量を減らすことで暗くしている。予約中でない場合、ステップ４で予約受付中かどうかの判断を行う。予約受付中であれば予約受付開始から５秒以上経過しているかどうかの判断を行い、５秒以上経過していれば予約受付終了すると共にその時の運転開始残時間を記憶手段２２に記憶して、運転開始残時間表示３６と予約表示２５を点灯して予約開始となる。５秒未満であれば前記運転開始残時間表示３６は点滅させ、前記予約表示２５及び運転表示２４は消灯となる。さらに初期異常検出処理が終了していなければ乾燥ヒータ２、触媒加熱ヒータ７及び撹拌羽根モータ３を１秒間オンすることで使用者に「正常に予約設定が行われた」ことを報知すると共に、その時に各ヒータに流れる電流を電流検出手段３０によって検出する。
【００５２】
各ヒータに流れる電流が０．１Ａ未満であればヒータ断線と判断し、ステップ６で全ての表示を点滅させて待機状態となる。異常がなかった場合、ステップ７で運転開始残時間が０であれば予約表示２５・運転開始残時間表示２６を消灯し同時に運転表示２４を点灯して運転処理を開始する。
【００５３】
ステップ８では時刻予約スイッチ１９が押されたかどうかの判断を、ステップ１４では切スイッチが押されたかどうかの判断を行う。これらの動作は実施の形態１と同一のため説明を省略する。
【００５４】
これらの構成・制御によれば、実施の形態１に比べ、単純な構成でありながら、実施の形態１とほぼ同等の効果を得ることができるため安価な商品を提供できる。
【産業上の利用可能性】
【００５５】
以上のように、本発明にかかる生ごみ処理機は、使用者が機器の運転開始時刻または運転終了時刻を任意に選択して運転予約を行えるので電気料金の安価な夜間運転が容易に行え、省エネ化・電気代削減に対して有用である。
【図面の簡単な説明】
【００５６】
【図１】本発明の第１の実施の形態における全体図
【図２】同操作部の詳細図
【図３】同システムブロック図
【図４】同第一の信号制御手段の制御フローチャート
【図５】同第二の信号制御手段の制御フローチャート
【図６】同第二の信号制御手段の制御フローチャート
【図７】本発明の第２の実施の形態におけるシステムブロック図
【図８】同制御フローチャート
【図９】同操作部の詳細図
【符号の説明】
【００５７】
１  処理槽
２  乾燥ヒータ（加熱手段）
３  撹拌羽（撹拌手段）
４  操作部（表示手段）
１２  商用電源
１５  第一の信号制御手段
１６  第二の信号制御手段
２２  記憶手段
２６  二次電池
３１  電池残量表示
【図１】
2005087951.tif 000003
【図２】
2005087951.tif 000004
【図３】
2005087951.tif 000005
【図４】
2005087951.tif 000006
【図５】
2005087951.tif 000007
【図６】
2005087951.tif 000008
【図７】
2005087951.tif 000009
【図８】
2005087951.tif 000010
【図９】
2005087951.tif 000011